(57)【要約】【課題】有機ＥＬ表示装置における外光反射を最小限に抑えるとともに、外光反射の色を所望に制御する。【解決手段】本開示に係る表示装置は、各色の画素に対応する有機ＥＬ発光素子と、白画素に対応する白カラーフィルタと、を備え、前記白カラーフィルタの透過率は、可視光の全波長帯域に渡って均等なＮＤ透過率をベースとし、前記可視光の全波長帯域のうち、特定の波長帯域の透過率が前記ＮＤ透過率よりも低下されている。この構成により、表示装置における外光反射を最小限に抑えるとともに、外光反射の色を所望に制御することが可能となる。【選択図】図１
2015037062.tif 000002
【特許請求の範囲】
【請求項１】
各色の画素に対応する発光素子と、
白画素に対応する白カラーフィルタと、を有し、
前記白カラーフィルタの透過率は、可視光の全波長帯域に渡って均等なＮＤ透過率をベースとし、前記可視光の全波長帯域のうち、特定の波長帯域の透過率が前記ＮＤ透過率よりも低下されている、表示装置。
【請求項２】
前記白カラーフィルタは、色剤の添加により前記特定の波長帯域の透過率が前記ＮＤ透過率よりも低下されている、請求項１に記載の表示装置。
【請求項３】
前記ＮＤ透過率が５０％以上である、請求項１に記載の表示装置。
【請求項４】
前記可視光の全波長帯域は、４００ｎｍ〜７００ｎｍである、請求項１に記載の表示装置。
【請求項５】
前記白カラーフィルタは、赤、緑、青もしくはそれらの補色に着色されている、請求項１に記載の表示装置。
【請求項６】
前記白カラーフィルタは、可視光の全波長帯域において分光透過率の最大値に対する最小値の比が０．４４以上である、請求項１に記載の表示装置。
【請求項７】
前記有機ＥＬ発光素子から出射して前記白カラーフィルタを透過した有機ＥＬ内光と、可視光の全波長帯域にわたって均等なＮＤ透過率を有する無色透明の白カラーフィルタを透過した有機ＥＬ内光との色差Δｕ’ｖ’が０．０２以下である、請求項１に記載の表示装置。
【請求項８】
前記白カラーフィルタに対応する白画素の開口率が赤画素、緑画素、青画素の開口率と異なる、請求項１に記載の表示装置。
【請求項９】
前記白カラーフィルタに対応する白画素の開口率が赤画素、緑画素、青画素の開口率よりも小さい、請求項８に記載の表示装置。
【請求項１０】
前記白カラーフィルタに対応する白画素の開口率が赤画素、緑画素、青画素の開口率よりも大きい、請求項８に記載の表示装置。
【請求項１１】
各色の画素に対応する発光素子と、白画素に対応する白カラーフィルタと、を有し、前記白カラーフィルタは、可視光の全波長帯域にわたって均等なＮＤ透過率をベースとし、前記可視光の全波長帯域のうち、特定の波長帯域の透過率が前記ＮＤ透過率よりも低下されている、表示装置を搭載した、電子機器。
【請求項１２】
前記白カラーフィルタは、色剤の添加により前記特定の波長帯域の透過率が前記ＮＤ透過率よりも低下されている、請求項１１に記載の電子機器。
【請求項１３】
前記ＮＤ透過率が５０％以上である、請求項１１に記載の電子機器。
【請求項１４】
前記可視光の全波長帯域は、４００ｎｍ〜７００ｎｍである、請求項１１に記載の電子機器。
【請求項１５】
前記白カラーフィルタは、赤、緑、青もしくはそれらの補色に着色されている、請求項１１に記載の電子機器。
【請求項１６】
前記白カラーフィルタは、可視光の全波長帯域において分光透過率の最大値に対する最小値の比が０．４４以上である、請求項１１に記載の電子機器。
【請求項１７】
前記有機ＥＬ発光素子から出射して前記白カラーフィルタを透過した有機ＥＬ内光と、可視光の全波長帯域にわたって均等なＮＤ透過率を有する無色透明の白カラーフィルタを透過した有機ＥＬ内光との色差Δｕ’ｖ’が０．０２以下である、請求項１１に記載の電子機器。
【請求項１８】
前記白カラーフィルタに対応する白画素の開口率が赤画素、緑画素、青画素の開口率と異なる、請求項１１に記載の電子機器。
【請求項１９】
前記白カラーフィルタに対応する白画素の開口率が赤画素、緑画素、青画素の開口率よりも小さい、請求項１８に記載の電子機器。
【請求項２０】
前記白カラーフィルタに対応する白画素の開口率が赤画素、緑画素、青画素の開口率よりも大きい、請求項１８に記載の電子機器。
【発明の詳細な説明】
【技術分野】
【０００１】
本開示は、表示装置及び電子機器に関する。
【背景技術】
【０００２】
近時においては、映像を表示する表示装置において、有機ＥＬ発光素子を備えるものが用いられている。表示装置においては、外光の反射が大きいと表示の質が低下するため、外光反射を抑えることが望ましい。一般的なディスプレイパネルにおいて、外光反射は２つの成分に大別される。１つ目はパネル最表面の部材と空気の界面で生じるフレネル反射の成分であり、２つ目はパネル内部に入射した光が再びパネルの外に出射される反射成分である。
【先行技術文献】
【特許文献】
【０００３】
【特許文献１】特開平１０−４８７５２号公報
【特許文献２】特開２０１０−２４３７６９号公報
【特許文献３】特開２０１３−９７２８７号公報
【発明の概要】
【発明が解決しようとする課題】
【０００４】
一般的な有機ＥＬパネルは、透明基板上に透明電極と有機発光層と金属電極を積層して発光体を形成している。このため、有機ＥＬパネル内部に入射した光は金属電極で反射してパネルの外部へ出射される。また、カラーフィルタ以外の構成部材の透過率が高いため、光が十分に吸収されずにパネルの外に出射され、反射成分が多くなる。従って、有機ＥＬパネルでは、上記の２つ目の反射成分が大きくなる問題がある。
【０００５】
とりわけ、無色透明の白画素を有する有機ＥＬパネルは、カラーフィルタによる吸収成分が微小なため、外光反射が顕著に大きくなる問題がある。また、有機ＥＬパネルの内部に入った外光は、出射光の波長スペクトルが変化し、外光反射が色付いて見える問題がある。
【０００６】
上述した１つ目の外光反射については、たとえばパネル表面にＡＲ（Ａｎｔｉ−Ｒｅｆｌｅｃｔｉｖｅ）コートを施したり、ＡＧ（Ａｎｔｉ−Ｇｌａｒｅ）フィルムを挿入したりすることによって、外光反射を低減することができる。
【０００７】
また、２つ目の外光反射低減の対策としては、特許文献１，２に記載されているように、有機ＥＬパネル表面に円偏光板を搭載する方法がある。しかし、有機ＥＬ素子から発光した光（以下、有機ＥＬ内光と称する場合がある）が円偏光板を透過するため、円偏光板が無い場合と比較して、有機ＥＬ内光の輝度が半減するという問題がある。このため、消費電力が増大する問題が生じる。
【０００８】
また、特許文献３に記載されているように、白画素の開口率のみを小さくしたり、もしくは白画素にＮＤフィルタを設けたりする方法もある。しかしながら、この方法では反射光の色の変化を抑えることができないため、反射光の色味が変わる問題は残ってしまう。
【０００９】
そこで、表示装置における外光反射を最小限に抑えるとともに、外光反射の色を所望に制御することが求められていた。
【課題を解決するための手段】
【００１０】
本開示によれば、各色の画素に対応する発光素子と、白画素に対応する白カラーフィルタと、を有し、前記白カラーフィルタの透過率は、可視光の全波長帯域に渡って均等なＮＤ透過率をベースとし、前記可視光の全波長帯域のうち、特定の波長帯域の透過率が前記ＮＤ透過率よりも低下されている、表示装置が提供される。
【００１１】
また、本開示によれば、各色の画素に対応する発光素子と、白画素に対応する白カラーフィルタと、を有し、前記白カラーフィルタは、可視光の全波長帯域にわたって均等なＮＤ透過率をベースとし、前記可視光の全波長帯域のうち、特定の波長帯域の透過率が前記ＮＤ透過率よりも低下されている、表示装置を搭載した、電子機器が提供される。
【００１２】
前記白カラーフィルタは、色剤の添加により前記特定の波長帯域の透過率が前記ＮＤ透過率よりも低下されているものであっても良い。
【００１３】
また、前記ＮＤ透過率が５０％以上であっても良い。
【００１４】
また、前記可視光の全波長帯域は、４００ｎｍ〜７００ｎｍであっても良い。
【００１５】
また、前記白カラーフィルタは、赤、緑、青もしくはそれらの補色に着色されているものであっても良い。
【００１６】
また、前記白カラーフィルタは、可視光の全波長帯域において分光透過率の最大値に対する最小値の比が０．４４以上であっても良い。
【００１７】
また、前記有機ＥＬ発光素子から出射して前記白カラーフィルタを透過した有機ＥＬ内光と、可視光の全波長帯域にわたって均等なＮＤ透過率を有する無色透明の白カラーフィルタを透過した有機ＥＬ内光との色差Δｕ’ｖ’が０．０２以下であっても良い。
【００１８】
また、前記白カラーフィルタに対応する白画素の開口率が赤画素、緑画素、青画素の開口率と異なるものであっても良い。
【００１９】
また、前記白カラーフィルタに対応する白画素の開口率が赤画素、緑画素、青画素の開口率よりも小さいものであっても良い。
【００２０】
また、前記白カラーフィルタに対応する白画素の開口率が赤画素、緑画素、青画素の開口率よりも大きいものであっても良い。
【発明の効果】
【００２１】
以上説明したように本開示によれば、表示装置における外光反射を最小限に抑えるとともに、外光反射の色を所望に制御することが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００２２】
【図１】有機ＥＬパネルの構成を示す模式図である。
【図２】赤、緑、青、白のカラーフィルタを有する有機ＥＬパネルの内部に入射した光が、再びパネルの外に出射される様子を模試的に示した図である。
【図３】計算に用いた外光の波長スペクトルを示す特性図である。
【図４】赤、緑、青のそれぞれのカラーフィルタの分光透過率を示す特性図である。
【図５】外光の絶対反射率とその内訳を計算した結果を示す特性図である。
【図６】外光とその反射光のｘｙ色度を示す特性図（色度図）である。
【図７】白カラーフィルタのＮＤ透過率を１００％，８０％，６０％，４０％，２０％，０％とした状態を示す特性図である。
【図８】外光の絶対反射率を各ＮＤ透過率毎に示す特性図である。
【図９】白画素のみの有機ＥＬを点灯したときの有機ＥＬ内光の規格化輝度を示す特性図である。
【図１０】外光反射のｘｙ色度を各ＮＤ透過率毎に示す特性図である。
【図１１】ＮＤ透過率８０％の白カラーフィルタに代表的な６種類の色剤を混合し、白カラーフィルタの分光透過率を設定した例を示す特性図である。
【図１２】図１１に示す分光透過率を有する白カラーフィルタＡ〜Ｆを用いたときの外光反射のｘｙ色度を示す特性図である。
【図１３】各白カラーフィルタＡ〜Ｆを用いた際の外光の絶対反射率を示す特性図である。
【図１４】図１１中の（Ｆ）の白カラーフィルタを基準として、色剤の濃度を濃くした６種類の白カラーフィルタを用意し、各白カラーフィルタの波長と透過率の関係を示す特性図である。
【図１５】図１４の各白カラーフィルタを用いた場合の反射光のｘｙ色度を示す特性図である。
【図１６】図１４の各白カラーフィルタを用いた場合の絶対反射率を示す特性図である。
【図１７】図１４の各白カラーフィルタを用いた場合に、白画素のみを点灯した有機ＥＬ内光のｘｙ色度を示す特性図である。
【図１８】図１４の白カラーフィルタ（１）〜（６）を用いた場合に白画素のみを点灯した有機ＥＬ内光と、無色透明の白カラーフィルタを用いた場合に白画素のみを点灯した有機ＥＬ内光の色差Δｕ’ｖ’を示す特性図である。
【図１９】図１１に示した白カラーフィルタ（Ａ）〜（Ｆ）をベースにして、各白カラーフィルタ（Ａ）〜（Ｆ）の色剤濃度を変えたときに、色差Δｕ’ｖ’が０．０２以下となる分光透過率を示す特性図である。
【図２０】無色透明（ＮＤ透過率１００％）の白画素において、赤、緑、青画素の開口率は３２％と固定し、白画素の開口率比を１００％，８０％，６０％，４０％，２０％，０％としたときの外光反射のｘｙ色度を示す特性図である。
【図２１】無色透明（ＮＤ透過率１００％）の白画素において、赤、緑、青画素の開口率は３２％と固定し、白画素の開口率比を１００％，８０％，６０％，４０％，２０％，０％としたときの絶対反射率を示す特性図である。
【図２２】白画素の開口率比とＮＤ透過率に対する外光の絶対反射率（縦軸）を示す特性図である。
【図２３】白画素の開口率比を８０％とし、図１１に示した白カラーフィルタ（Ｆ）（ＮＤ透過率８０％）を用いたときの外光反射のｘｙ色度を示す特性図である。
【図２４】開口率比、ＮＤ透過率、外光反射率の関係を示す特性図である。
【図２５】白カラーフィルタに着色をして得られた分光透過率を示す特性図である。
【図２６】第４の実施形態において、外光反射のｘｙ色度を示す特性図である。
【図２７】有機ＥＬパネルを備える表示装置の回路構成を示す模式図である。
【図２８】画素駆動回路の等価回路図である。
【発明を実施するための形態】
【００２３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
１．第１の実施形態
１．１．有機ＥＬパネルの構成例
１．２．外光反射の絶対反射率と反射光の色について
１．３．色剤の添加による色味の制御
１．４．色変化の許容範囲について
２．第２の実施形態
３．第３の実施形態
４．第４の実施形態
５．第５の実施形態
【００２５】
＜１．第１の実施形態＞
１．１．有機ＥＬパネルの構成例
図１は、本開示の一実施形態に係る有機ＥＬパネル１０００の構成を示す断面図である。なお、以下では有機ＥＬパネル１０００を例に挙げて説明するが、本開示は有機ＥＬパネル１０００のみならず液晶表示パネル（ＬＣＤ）に対しても適用可能である。図１に示すように、有機ＥＬパネル１０００は、上層から順にガラス板１００、カラーフィルタ２００、樹脂層３００、保護層４００、透明電極５００、有機ＥＬ素子６００、金属電極７００を有して構成されている。カラーフィルタ２００は、Ｒ（赤）のカラーフィルタ２００Ｒ、Ｇ（緑）のカラーフィルタ２００Ｇ、Ｂ（青）カラーフィルタ２００Ｂ，Ｗ（白）のカラーフィルタ２００Ｗの各色のフィルタから構成されている。各カラーフィルタ２００Ｒ，２００Ｇ，２００Ｂ，２００Ｗは、赤画素、緑画素、青画素、白画素のそれぞれに対応して設けられている。
【００２６】
図２は、赤、緑、青、白のカラーフィルタ２００Ｒ，２００Ｇ，２００Ｂ，２００Ｗを有する有機ＥＬパネル１０００の内部に入射した光が、再び有機ＥＬパネル１０００の外に出射される様子を模試的に示した図である。有機ＥＬパネル１０００の内部に入射した外光は、カラーフィルタ２００を２度通過するため、光の強度はカラーフィルタ透過率の２乗程度になり、赤、緑、青のカラーフィルタ２００ではある程度は光が吸収される。これに対し、白画素は透過率が高いため、カラーフィルタ２００Ｗでの吸収が非常に小さく、外光反射が大きくなる。
【００２７】
また、外光反射が大きくなることに加えて、有機ＥＬパネル１０００の内部に入った外光は、有機ＥＬパネル１０００の構造や材料によって特定の波長成分が吸収されやすく、出射光の波長スペクトルが変化し、外光反射が色付いて見える問題がある。
【００２８】
１．２．外光反射の絶対反射率と反射光の色について
ここで、図１の構成において各層の厚さを規定し、赤、緑、青、白の各画素の開口率が３２％である有機ＥＬパネルにおいて、外光反射の絶対反射率と反射光の色を計算した。各層の厚みは、ガラス（１ｍｍ）、カラーフィルタ(RGBW)（３μｍ）、樹脂（３μｍ）、保護層（３μｍ）、透明電極（０．２μｍ）、有機ＥＬ（０．３μｍ）、アルミニウム（０．０１μｍ）とした。なお、開口率とは、１サブ画素において、実効的に光っている領域の割合を示すもので、たとえば有機ＥＬパネル１０００のウインドウやカラーフィルタのブラックマトリックスによって開口率を制御することができる。
【００２９】
図３は、計算に用いた外光の波長スペクトルを示す特性図である。以後に説明する計算においても、図３に示す波長スペクトルの外光を、参照外光として用いることとする。また、図４は、赤、緑、青のそれぞれのカラーフィルタ２００Ｒ，２００Ｇ，２００Ｂの分光透過率を示したもので、以後に説明する計算においてもこの値を用いることとする。図４において、Ｒｅｄ−ＣＦはカラーフィルタ２００Ｒの分光透過率を、Ｇｒｅｅｎ−ＣＦはカラーフィルタ２００Ｇの分光透過率を、Ｂｌｕｅ−ＣＦはカラーフィルタ２００Ｂの分光透過率を、それぞれ示している。
【００３０】
図５は、外光の絶対反射率とその内訳を計算した結果を示す特性図である。また、図６は、外光とその反射光のｘｙ色度を示す特性図（色度図）である。
【００３１】
図５に示すように、外光の絶対反射率（入射光に対する反射光の割合）は１１％となっており、その内訳は最表面のガラスでのフレネル反射の成分が３．５％、赤画素に入射した外光で再び外に出射される成分が０．７％、緑画素に入射した外光で再び外に出射される成分が１．１％、青画素に入射した外光で再び外に出射される成分が０．７％、白画素に入射した外光で再び外に出射される成分が５．７％となっており、外光反射成分の１／２以上が白画素による反射光に起因していることが分かる。また、図６に示すように、ｘｙ色度図によれば、反射光は外光に対して黄色方向にシフトする。これは、有機ＥＬパネル１０００の構成には通常多くの短波長帯域の成分を吸収する材料が多く含まれており、反射光が青の補色である黄色にシフトするためである。
【００３２】
本実施形態は、前述した２つ目の反射光成分の低減に焦点を当てたもので、有機ＥＬパネル１０００の内光への影響を最小限に抑えつつ、白画素からの外光反射を低減し、その色味を制御する。このため、カラーフィルタ２００Ｗ（白カラーフィルタ）のＮＤ透過率を下げることによって外光の反射率を低減させ、且つ、カラーフィルタ２００Ｗに着色をすることによって反射光を所望の色にする。
【００３３】
なお、ＮＤ（Ｎｅｕｔｒａｌ  Ｄｅｎｓｉｔｙ）透過率は、以下のように定義される。ＮＤ透過率とは、可視光の全波長帯域にわたって均等に透過率を下げることを示し、色味には影響を与えない。たとえば、ＮＤ透過率が７０％とは、可視光の全波長帯域（４００ｎｍ〜７００ｎｍ）にわたって透過率が７０％であることを意味する。
【００３４】
以下では、順を追ってカラーフィルタ２００Ｗの最適な分光特性について説明する。図７に示すように、先ず、カラーフィルタ２００ＷのＮＤ透過率を１００％，８０％，６０％，４０％，２０％，０％のそれぞれに設定し、有機ＥＬパネル１０００に外光（図３の特性）を照射する。図８は、このときの、外光の絶対反射率を各ＮＤ透過率毎に示す特性図である。また、図９は、白画素のみの有機ＥＬ素子６００を点灯したときの有機ＥＬパネル１０００の内光（有機ＥＬ内光）の規格化輝度を示す特性図である。また、図１０は、外光反射のｘｙ色度を示す特性図である。
【００３５】
図８に示すように、外光の絶対反射率は、ＮＤ透過率が低くなるほど低下し、ＮＤ透過率に対して指数関数的に低下する。一方、図９に示すように、有機ＥＬ内光は、ＮＤ透過率が低くなるほど低下するが、ＮＤ透過率に対して比例的に低下する。これは、前述したように、外光反射は入射時と出射時にカラーフィルタ２００を合計２度通過することでＮＤ透過率の２乗程度に光が減衰されるのに対して、有機ＥＬ内光は出射時にカラーフィルタを１度通過するのみなので、輝度低下はＮＤ透過率の１乗に抑えられる。これはカラーフィルタ２００Ｗ（白カラーフィルタ）のＮＤ透過率を下げることによって、外光反射を効果的に低減できることを意味する。従って、外光反射を低減するためには、カラーフィルタ２００ＷのＮＤ透過率を低下させることが好適である。これにより、有機ＥＬ内光の輝度を犠牲にすることなく、外光の反射を効果的に抑えることが可能となる。
【００３６】
一方、図１０に示すように、カラーフィルタ２００ＷのＮＤ透過率を変えることによって、反射光の色度が変化する。図５で説明したように、外光反射はパネル最表面でのフレネル反射と、赤、緑、青、白の各画素からの反射光の足し合わせであり、各反射光の波長スペクトルはそれぞれ異なる。このため、ＮＤ透過率を変えることによって白画素からの反射光量が変化すると、トータルの外光反射の波長スペクトルも変化し、色味が変化する。
【００３７】
ＮＤ透過率については、５０％以上とすることが望ましい。前述した円偏光板を貼り付ける方法（特許文献１，２）では、円偏光板を貼り付けたことによって透過率が低下し、透過率を５０％確保することは困難である。従って、ＮＤ透過率を５０％以上とすることで、円偏光板を貼り付ける場合よりも高い透過率を確保することができ、有機ＥＬ内光の輝度の低下を抑止することができるため、消費電力を低減することが可能である。
【００３８】
１．３．色剤の添加による色味の制御
次に、カラーフィルタ２００ＷのＮＤ透過率が８０％の場合を例に挙げて、色剤を添加することによって外光反射の色味を制御する方法について説明をする。なお、添加する色剤は、特定の波長帯域のみの透過率を下げ、それ以外の該当しない波長帯域の透過率は不変とするものである。すなわち、ＮＤ透過率によって全波長帯域の透過率を８０％に下げて、色剤によって特定の波長帯域のみの透過率を下げるものとする。
【００３９】
ＮＤ透過率８０％のカラーフィルタ２００Ｗに代表的な６種類の色剤を混合し、カラーフィルタ２００Ｗを図１１のような分光透過率にした場合を想定する。それぞれのカラーフィルタ２００Ｗは、（Ａ）４００〜５００ｎｍ帯域の透過率を下げた薄いイエロー、（Ｂ）５００〜６００ｎｍ帯域の透過率を下げた薄いマゼンダ、（Ｃ）６００〜７００ｎｍ帯域の透過率を下げた薄いシアン、（Ｄ）４００〜６００ｎｍ帯域の透過率を下げた薄い赤、（Ｅ）４００〜５００ｎｍおよび６００〜７００ｎｍ帯域の透過率を下げた薄い緑、（Ｆ）５００〜７００ｎｍ帯域の透過率を下げた薄い青とする。また、ＮＤ透過率が８０％であるため、（Ａ）〜（Ｆ）のいずれにおいても、４００ｎｍ〜７００ｎｍ帯域における透過率の最大値は８０％となっている。
【００４０】
図１２は、これらの分光透過率を有するカラーフィルタ２００Ｗ（（Ａ）〜（Ｆ））を用いたときの外光反射のｘｙ色度を示す特性図である。図１２中には、参照データとして、外光のｘｙ色度（○印）とＮＤ透過率８０％で無色（色剤の添加無）のカラーフィルタ２００Ｗを用いたときの結果（●印）も合わせて示す。また、図１３は、各カラーフィルタ２００Ｗ（（Ａ）〜（Ｆ））を用いた際の外光の絶対反射率を示す特性図である。図１３中には、参照データとして、ＮＤ透過率８０％で無色（色剤の添加無）のカラーフィルタ２００Ｗを用いたときの結果（色剤無し）も合わせて示す。図１２に示すように、カラーフィルタ２００Ｗに色剤を添加することによって、反射光の色を自由に制御でき、色剤の色方向に反射光の色味がシフトしていることが分かる。
【００４１】
また、図１３に示すように、カラーフィルタ２００Ｗを（Ｂ）,（Ｄ）,（Ｆ）のような分光透過率にすることによって、外光の絶対反射率が低下することが分かる。これは、図１１に示すように、色剤によって視感度の高い５５０ｎｍ前後の波長帯域の透過率が下がるためである。一般的な有機ＥＬパネルは、短波長（青成分）の光を吸収する材料で構成されることが多く、外光反射が青の補色、すなわちイエロー（黄）方向にシフトしやすいという特性がある。このため、添加する色剤を青にすることによって、反射光の色味を青方向に戻すことができ、さらには外光反射を効果的に低減することが可能である。
【００４２】
図１４は、図１１中の（Ｆ）のカラーフィルタ２００Ｗを基準（１）として、（２）→（３）→（４）→（５）→（６）の順に色剤（薄い青）の濃度を濃くした６種類の白カラーフィルタを用意し、各カラーフィルタ２００Ｗ（（１）〜（６））の波長と透過率の関係を示した特性図である。
【００４３】
図１５は、図１４の各カラーフィルタ２００Ｗ（（１）〜（６））を用いた場合の反射光のｘｙ色度を示す特性図である。図１５に示すように、色剤濃度を濃くすることによって、反射光の色味は色剤の色方向にシフトしていく。また、図１６は、図１４の各白カラーフィルタ（１）〜（６）を用いた場合の外光の絶対反射率を示す特性図である。図１６に示すように、色剤濃度を高くすることによって、絶対反射率も低減していく。
【００４４】
１．４．色変化の許容範囲について
図１７は、図１４の各カラーフィルタ２００Ｗ（（１）〜（６））を用いた場合に、白画素のみを点灯した有機ＥＬ内光のｘｙ色度を示したものである。図１７の色度を計算する際には、一般的な有機ＥＬの発光スペクトルを用いた。一般に、人間の目では色の変化量がΔｕ’ｖ’≦０．０２の差異であれば色変化を許容できるといわれており、ディスプレイの色視野角特性の１つの指標として広く用いられている。このため、カラーフィルタ２００Ｗが無色透明のとき、白画素のみを点灯した有機ＥＬ内光と、カラーフィルタ２００Ｗに色剤を添加したときの白画素のみを点灯した有機ＥＬ内光との色差がΔｕ’ｖ’≦０．０２を満たすことが望ましい。
ここで、u’v’色空間とは、xy色空間を知覚均等になるようにした色空間であり、以下の式で定義される。なお、xy色度図は知覚均等ではない。u’v’色空間内での距離を色差Δu’v’と呼び、例えば、Δu’v’が同じ値であることは、ヒトの見た目に感じる色の差が、ほぼ同じであることを意味する。
【００４５】
【数１】
2015037062.tif 000003
【００４６】
図１８は、図１４の各カラーフィルタ２００Ｗ（（１）〜（６））を用いた場合に白画素のみを点灯した有機ＥＬ内光と、無色透明の白カラーフィルタを用いた場合に白画素のみを点灯した有機ＥＬ内光の色差Δｕ’ｖ’を示す特性図である。図１８に示すように、白カラーフィルタ（５）を用いた場合は色差Δｕ’ｖ’が０．０２を超え、白カラーフィルタ（４）を用いた場合は色差Δｕ’ｖ’が０．０２以下となる。従って、色剤濃度は、白カラーフィルタ（４）と（５）の間以下に抑えることが望ましい。
【００４７】
また、図１９は、図１１に示した白カラーフィルタ２００Ｗ（（Ａ）〜（Ｆ））をベースにして、各白カラーフィルタ２００Ｗ（（Ａ）〜（Ｆ））の色剤濃度を変えたときに、色差Δｕ’ｖ’が０．０２以下となる分光透過率を示す特性図である。より詳細には、図１９は、白カラーフィルタ２００Ｗの色剤濃度を変えたときに白画素のみを点灯した有機ＥＬ内光と、無色透明の白カラーフィルタ２００Ｗを用いたときに白画素のみを点灯した有機ＥＬ内光との色差Δｕ’ｖ’が０．０２となる分光透過率を示している。
【００４８】
図１９に示すように、各白カラーフィルタ２００Ｗ（（Ａ）〜（Ｆ））をベースに色剤濃度を変えたとき、４００−７００ｎｍの波長帯域で最大透過率と最小透過率の比は、（Ａ）：７４％、（Ｂ）：７６％、（Ｃ）：４４％、（Ｄ）：６１％、（Ｅ）：８２％、（Ｆ）：８５％となる。
【００４９】
図１９に示す代表的な６色のカラーフィルタ２００Ｗ（（Ａ）〜（Ｆ））について、４００〜７００ｎｍの波長帯域で最大透過率と最小透過率の比の最小値は、（Ｃ）の４４％である。従って、４００〜７００ｎｍの波長帯域で最大透過率と最小透過率の比は、４４％以上であることが望ましい。これにより、カラーフィルタ２００Ｗを用いた場合の色差Δｕ’ｖ’を０．０２以下とすることができる。このようにすることで、白表示は白画素のみを点灯するだけでよいため消費電力が抑制でき、また、白信号の色変化を補正するために白画素以外の画素を補助的に点灯したとしても、消費電力の増加を最小限に抑えることができる。
【００５０】
また、白カラーフィルタの分光透過率は、有機ＥＬパネル１０００の構造や発光スペクトルにも依存し、上記範囲（最大透過率と最小透過率の比が４４％以上）に収まらなくても、着色したカラーフィルタ２００Ｗを用いたときの白画素のみを点灯した有機ＥＬ内光と、無色透明の白カラーフィルタを用いたときの白画素のみを点灯した有機ＥＬ内光との色差がΔｕ’ｖ’≦０．０２に収まる範囲であればよい。
【００５１】
以上説明したように第１の実施形態によれば、有機ＥＬパネル１０００の内光の輝度と色味への影響を最小限に抑えつつ、外光反射の絶対反射率と色味を効果的に制御することが可能となる。
【００５２】
＜２．第２の実施形態＞
次に、本開示の第２の実施形態について説明する。第２の実施形態は、有機ＥＬパネル１０００の白画素の開口率を小さくすることによって、白画素の輝度を調整するものである。これにより、外光反射率を低減させることが可能である。
【００５３】
図２０は、無色透明（ＮＤ透過率１００％）の白画素において、赤画素、緑画素、青画素の開口率は３２％と固定し、白画素の開口率比を１００％，８０％，６０％，４０％，２０％，０％としたときの外光反射のｘｙ色度を示す特性図である。同様に、図２１は、無色透明（ＮＤ透過率１００％）の白画素において、赤画素、緑画素、青画素の開口率は３２％と固定し、白画素の開口率比を１００％，８０％，６０％，４０％，２０％，０％としたときの絶対反射率を示す特性図である。ここで、開口率比とは赤画素、緑画素、青画素の開口率（３２％）との比を示すもので、たとえば、赤画素、緑画素、青画素の開口率が３２％の場合において、開口率比５０％とは白画素の開口率が１６％であることを意味する。図２１に示すように、白画素だけ開口率を下げることによって外光の反射率を抑えることができる。一方、図２０に示すように、白画素だけ開口率を変化させることによって、白画素からの反射光量が変化するため、外光反射の色味も変化する。但し、第１の実施形態で示したように、適当な色剤を加えることによって反射光の色を制御することができる。
【００５４】
ここで、白画素の開口率を赤画素、緑画素、青画素の開口率（３２％）よりも小さくして開口率比を１００％以下とし、かつカラーフィルタ２００ＷのＮＤ透過率を下げたときを想定する。図２２は、白画素の開口率比とＮＤ透過率に対する外光の絶対反射率（縦軸）を示したものである。図２２に示すように、白画素の開口率比とＮＤ透過率を最適に変化させることによって、所望の絶対反射率を実現できることが分かる。
【００５５】
図２３は、白画素の開口率比を８０％とし、図１１に示した白カラーフィルタ２００Ｗ（Ｆ）（ＮＤ透過率８０％）を用いたときの外光反射のｘｙ色度を示す特性図である。図２３において、●印は白カラーフィルタ２００Ｗ（Ｆ）による外光反射の特性を示しており、▲印は白カラーフィルタ２００Ｗ（Ｆ）に色剤を添加して着色した場合を示している。図２３に示すように、白画素の開口率比およびＮＤ透過率を変えた場合においても、白カラーフィルタ２００Ｗに着色をすることによって外光反射の色味の制御が可能となる。
【００５６】
なお、本実施形態では、赤画素、緑画素、青画素の画素開口率を３２％としたが、画素開口率は３２％に限定されるものではない。
【００５７】
以上説明したように第２の実施形態によれば、赤画素、緑画素、青画素の開口率に対して白画素の開口率を低下させることで、外光反射率を低減することが可能となる。また、この場合においても、白カラーフィルタ２００Ｗに着色をすることによって外光反射の色味の制御が可能となる。
【００５８】
＜３．第３の実施形態＞
次に、本開示の第３の実施形態について説明する。第３の実施形態では、白画素の開口率比を上げて、かつＮＤ透過率を下げることで、外光反射を低減する。図２４は、図２２と同様に開口率比、ＮＤ透過率、外光反射率の関係を示す特性図である。図２４は、白画素の開口率比を１００％，１２０％，１４０％，１６０％，１８０％，２００％としたときの外光反射の絶対反射率を示している。
【００５９】
このように、赤画素、緑画素、青画素の開口率を固定し、白画素の開口率比のみを上げて、ＮＤ透過率を下げることによっても外光反射率を抑えることができる。この場合においても、第２の実施形態と同様に、開口率比およびＮＤ透過率を変えたときに、白カラーフィルタ２００Ｗに着色をすることによって反射光の色味の制御が可能である。
【００６０】
また、白画素だけでなく、合わせて赤、緑、青画素の開口率を任意とすることで、外光の色味および反射率を調整してもよい。例えば、外光反射の赤味を抑えたい場合、赤画素の開口率を相対的に減らすなどして、色味の制御につなげてもよい。
【００６１】
＜４．第４の実施形態＞
次に、本開示の第４の実施形態について説明する。第４の実施形態は、デバイスの構成や材質に応じて外光反射の色味を最適に制御するものである。
【００６２】
第１の実施形態で説明したように、外光反射の色味は様々な色に制御することできるが、たとえば、デバイスの構成や材質が変わったときにも有効である。図２６は、外光反射のｘｙ色度を示す特性図であって、外光（○印）、金属電極７００の材料がアルミニウム（Ａｌ）の場合の外光反射（●印）、金属電極７００の材料が銅（Ｃｕ）の場合の外光反射（▲印）、金属電極７００の材料が銅（Ｃｕ）の場合であって色を制御した場合の外光反射（■印）、のｘｙ色度を示す特性図である。例えば金属電極７００の材料がアルミニウム（Ａｌ）から銅（Ｃｕ）に変わった場合を想定すると、図２６のようにその外光反射の色は赤方向にシフトする（▲印）。この場合、白カラーフィルタに着色をして図２５に示すような分光透過率とすることによって、反射光の色味を、金属電極７００の材料がアルミニウム（Ａｌ）の場合の色味と近くすることができる（■印）。
【００６３】
このように、デバイスの構成や材質によって、外光反射の色が変わるときにも、カラーフィルタ２００Ｗに色剤を添加することによって、所望の色の反射光を得ることが可能である。
【００６４】
＜５．第５の実施形態＞
図２７は、有機ＥＬパネル１０００を備える表示装置２０００の回路構成を示す模式図である。表示装置２０００は、駆動パネル１１００上に、マトリクス状に配設された複数の赤画素１０Ｒ、緑画素１０Ｇ、青画素１０Ｂと、これらの画素１０Ｒ，１０Ｇ，１０Ｂを駆動するための各種駆動回路とが形成されたものである。画素１０Ｒ，１０Ｇ，１０Ｂはそれぞれ、赤色（Ｒ：Red ），緑色（Ｇ：Green）および青色（Ｂ：Blue）の色光を発する有機ＥＬ素子６００を有して構成される。これら３つの画素１０Ｒ，１０Ｇ，１０Ｂを一つのピクセルとして、複数のピクセルにより有機ＥＬパネル１０００からなる表示領域２２００が構成されている。駆動パネル１１００上には、駆動回路として、例えば映像表示用のドライバである信号線駆動回路２３００および走査線駆動回路２４００と、画素駆動回路２５００とが配設されている。この駆動パネル１１００には、図示しない封止パネルが貼り合わせられ、この封止パネルにより画素１０Ｒ，１０Ｇ，１０Ｂおよび上記駆動回路が封止されている。
【００６５】
図２８は、画素駆動回路２５００の等価回路図である。画素駆動回路２５００は、上記薄膜トランジスタとして、トランジスタＴｒ１，Ｔｒ２が配設されたアクティブ型の駆動回路である。トランジスタＴｒ１，Ｔｒ２の間にはキャパシタＣｓが設けられ、第１の電源ライン（Ｖcc）および第２の電源ライン（ＧＮＤ）の間において、画素１０Ｒ（または画素１０Ｇ，１０Ｂ）がトランジスタＴｒ１に直列に接続されている。このような画素駆動回路２５００では、列方向に信号線２６００Ａが複数配置され、行方向に走査線２７００Ａが複数配置されている。各信号線２６００Ａは、信号線駆動回路２３００に接続され、この信号線駆動回路２３００から信号線２６００Ａを介してトランジスタＴｒ２のソース電極に画像信号が供給されるようになっている。各走査線２７００Ａは走査線駆動回路２４００に接続され、この走査線駆動回路２４００から走査線２７００Ａを介してトランジスタＴｒ２のゲート電極に走査信号が順次供給されるようになっている。このような表示装置２０００は、例えばテレビジョン装置、デジタルカメラ、ノート型パーソナルコンピュータ、ビデオカメラ、携帯電話（モバイル機器）等の電子機器に搭載することができる。
【００６６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６８】
なお、以下のような構成も本開示の技術的範囲に属する。
（１）  各色の画素に対応する有機ＥＬ発光素子と、
白画素に対応する白カラーフィルタと、を備え、
前記白カラーフィルタの透過率は、可視光の全波長帯域に渡って均等なＮＤ透過率をベースとし、前記可視光の全波長帯域のうち、特定の波長帯域の透過率が前記ＮＤ透過率よりも低下されている、表示装置。
（２）  前記白カラーフィルタは、色剤の添加により前記特定の波長帯域の透過率が前記ＮＤ透過率よりも低下されている、前記（１）に記載の表示装置。
（３）  前記ＮＤ透過率が５０％以上である、前記（１）に記載の表示装置。
（４）  前記可視光の全波長帯域は、４００ｎｍ〜７００ｎｍである、前記（１）に記載の表示装置。
（５）  前記白カラーフィルタは、赤、緑、青もしくはそれらの補色に着色されている、前記（１）に記載の表示装置。
（６）  前記白カラーフィルタは、可視光の全波長帯域において分光透過率の最大値に対する最小値の比が０．４４以上である、前記（１）に記載の表示装置。
（７）  前記有機ＥＬ発光素子から出射して前記白カラーフィルタを透過した有機ＥＬ内光と、可視光の全波長帯域にわたって均等なＮＤ透過率を有する無色透明の白カラーフィルタを透過した有機ＥＬ内光との色差Δｕ’ｖ’が０．０２以下である、前記（１）に記載の表示装置。
（８）  前記白カラーフィルタに対応する白画素の開口率が赤画素、緑画素、青画素の開口率と異なる、前記（１）に記載の表示装置。
（９）  前記白カラーフィルタに対応する白画素の開口率が赤画素、緑画素、青画素の開口率よりも小さい、前記（８）に記載の表示装置。
（１０）  前記白カラーフィルタに対応する白画素の開口率が赤画素、緑画素、青画素の開口率よりも大きい、前記（８）に記載の表示装置。
（１１）  各色の画素に対応する有機ＥＬ発光素子と、白画素に対応する白カラーフィルタと、を備え、前記白カラーフィルタは、可視光の全波長帯域にわたって均等なＮＤ透過率をベースとし、前記可視光の全波長帯域のうち、特定の波長帯域の透過率が前記ＮＤ透過率よりも低下されている、表示装置を搭載した、電子機器。
（１２）  前記白カラーフィルタは、色剤の添加により前記特定の波長帯域の透過率が前記ＮＤ透過率よりも低下されている、前記（１１）に記載の電子機器。
（１３）  前記ＮＤ透過率が５０％以上である、前記（１１）に記載の電子機器。
（１４）  前記可視光の全波長帯域は、４００ｎｍ〜７００ｎｍである、前記（１１）に記載の電子機器。
（１５）  前記白カラーフィルタは、赤、緑、青もしくはそれらの補色に着色されている、前記（１１）に記載の電子機器。
（１６）  前記白カラーフィルタは、可視光の全波長帯域において分光透過率の最大値に対する最小値の比が０．４４以上である、前記（１１）に記載の電子機器。
（１７）  前記有機ＥＬ発光素子から出射して前記白カラーフィルタを透過した有機ＥＬ内光と、可視光の全波長帯域にわたって均等なＮＤ透過率を有する無色透明の白カラーフィルタを透過した有機ＥＬ内光との色差Δｕ’ｖ’が０．０２以下である、前記（１１）に記載の電子機器。
（１８）  前記白カラーフィルタに対応する白画素の開口率が赤画素、緑画素、青画素の開口率と異なる、前記（１１）に記載の電子機器。
（１９）  前記白カラーフィルタに対応する白画素の開口率が赤画素、緑画素、青画素の開口率よりも小さい、前記（１８）に記載の電子機器。
（２０）  前記白カラーフィルタに対応する白画素の開口率が赤画素、緑画素、青画素の開口率よりも大きい、前記（１８）に記載の電子機器。
【符号の説明】
【００６９】
６００    有機ＥＬ素子
２００Ｗ  白カラーフィルタ
１０００  有機ＥＬパネル
【図１】
2015037062.tif 000004
【図２】
2015037062.tif 000005
【図３】
2015037062.tif 000006
【図４】
2015037062.tif 000007
【図５】
2015037062.tif 000008
【図６】
2015037062.tif 000009
【図７】
2015037062.tif 000010
【図８】
2015037062.tif 000011
【図９】
2015037062.tif 000012
【図１０】
2015037062.tif 000013
【図１１】
2015037062.tif 000014
【図１２】
2015037062.tif 000015
【図１３】
2015037062.tif 000016
【図１４】
2015037062.tif 000017
【図１５】
2015037062.tif 000018
【図１６】
2015037062.tif 000019
【図１７】
2015037062.tif 000020
【図１８】
2015037062.tif 000021
【図１９】
2015037062.tif 000022
【図２０】
2015037062.tif 000023
【図２１】
2015037062.tif 000024
【図２２】
2015037062.tif 000025
【図２３】
2015037062.tif 000026
【図２４】
2015037062.tif 000027
【図２５】
2015037062.tif 000028
【図２６】
2015037062.tif 000029
【図２７】
2015037062.tif 000030
【図２８】
2015037062.tif 000031